(57)【要約】【課題】マルチスクリーン表示装置内の映像表示装置に対するリモコンの選択操作を簡略化させる。【解決手段】前記各映像表示装置に、取得したらリモコン操作が可能な映像表示装置として選択されたことを示すリモコン操作対象移動信号を四方の隣接する映像表示装置のいずれか一つに送出するように指示する移動指示コマンドを受信したら、リモコン操作対象移動信号を生成して指示された方向に送出し、リモコン操作対象移動信号の送出以降のリモコン信号の取得を禁止し、外部から前記リモコン操作対象移動信号が入力されるとそれ以降入力されるリモコン信号を取得し、該リモコン信号に応じた所定の処理を実行するように制御するリモコン制御部を備え、現在リモコン操作対象である映像表示装置から四方の隣接する映像表示装置のいずれか一つに送出されたリモコン操作対象移動信号を取得した映像表示装置を新たなリモコン操作対象の映像表示装置とする。【選択図】図１
2010079127.tif 000002
【特許請求の範囲】
【請求項１】
複数の映像表示装置がマトリクス状に配列されるマルチスクリーン表示装置であって、
該映像表示装置に、
リモートコントロール端末からのリモコン信号が入力されるリモコン信号入力部と、
リモコン操作の対象となる映像表示装置が移動したことを示すリモコン操作対象移動信号が上下左右に隣接する映像表示装置から入力される４つの移動信号入力部と、
前記リモコン操作対象移動信号を上下左右に隣接する映像表示装置へ出力する４つの移動信号出力部と、
前記４つの移動信号入力部に入力されたリモコン操作対象移動信号を検出する移動信号検出部と、
該移動信号検出部へのリモコン操作対象移動信号の入力の有無により前記リモコン信号入力部から入力されるリモコン信号の入り切りの制御をするスイッチ部と、
該スイッチ部からのリモコン信号に対応するコマンド信号の出力後、前記４つの移動信号出力部にリモコン操作対象移動信号を出力する移動信号生成部と、
前記スイッチ部からのリモコン信号に対応するコマンド信号の出力後、映像表示装置を制御するマイコン部と
を設け、
映像表示装置の前記移動信号入力部と前記移動信号出力部が隣接する映像表示装置の移動信号入力部と移動信号出力部に相互に接続され、前記リモコン操作対象移動信号がリモコン操作の対象の移動先の映像表示装置に出力されること
を特徴とするマルチスクリーン表示装置。
【請求項２】
請求項１のマルチスクリーン表示装置において、
前記マイコン部に入力されるリモコン信号が、
前記リモコン信号入力部から前記スイッチ部を介して入力されるリモコン信号と、
リモートコントロール端末から出力されたリモコン信号が前記リモコン信号入力部から入力されるリモコン信号と
であって、
前記マイコン部は
前記リモコン信号入力部から入力されたリモコン信号、
または、前記スイッチ部からのリモコン信号
を選択してリモコン信号に対応するコマンド信号の処理をすることを特徴とするマルチスクリーン表示装置。
【請求項３】
請求項２のマルチスクリーン表示装置において、
各映像表示装置の前記マイコン部が、
リモコン信号に対応するコマンド信号がマルチスクリーン表示装置全体を選択するときは前記リモコン信号入力部から入力されるリモコン信号を選択して処理し、
または、リモコン信号に対応するコマンド信号がマルチスクリーン表示装置内の１つの映像表示装置を個別に操作するコマンド信号であるときは前記スイッチ部から入力されるリモコン信号を選択して処理する
ことを特徴とするマルチスクリーン表示装置。
【請求項４】
請求項１乃至３のマルチスクリーン表示装置において、
マルチスクリーン画面の周辺に位置する映像表示装置の前記移動信号入力部と前記移動信号出力部の映像表示装置の存在しない方向への前記移動信号入力部と前記移動信号出力部の接続が、
隣接する映像表示装置が存在しない方向の移動信号入力部と移動信号出力部とをループ接続した構成であるマルチスクリーン表示装置。
【請求項５】
請求項１乃至３のマルチスクリーン表示装置において、
マルチスクリーン画面の周辺に位置する映像表示装置の移動信号入力部と移動信号出力部の映像表示装置の存在しない方向への前記移動信号入力部と前記移動信号出力部の接続が、
上端の映像表示装置の移動信号入力部と下端の映像表示装置の移動信号出力部とを接続し、
下端の映像表示装置の移動信号入力部と上端の映像表示装置の移動信号出力部とを接続し、
左端の映像表示装置の移動信号入力部と右端の映像表示装置の移動信号出力部とを接続し、
右端の映像表示装置の移動信号入力部と左端の映像表示装置の移動信号出力部とを接続する構成であるマルチスクリーン表示装置。
【請求項６】
複数の映像表示装置がマトリクス状に配列されるマルチスクリーン表示装置であって、
該映像表示装置が、
リモートコントロール端末からのリモコン信号が入力されるリモコン信号入力部と、
リモコン操作の対象となる映像表示装置が移動したことを示すリモコン操作対象移動信号が上下左右に隣接する映像表示装置から入力される４つの移動信号入力部と、
前記リモコン操作対象移動信号を上下左右に隣接する映像表示装置へ出力する４つの移動信号出力部と
前記移動信号入力部からのリモコン操作対象移動信号、または前記リモコン信号入力部からのリモコン信号が入力されるマイコン部と、
を具備し、
前記マイコン部は前記移動信号入力部からのリモコン操作対象移動信号の入力の有無によりリモコン信号に対応するコマンドを実行するか否かを選択し、
該リモコン信号に対応するコマンドが、リモコン操作が可能な映像表示装置を別の映像表示装置に移動させる移動コマンドであるときに、該移動コマンドから指示された移動方向に対応してリモコン操作対象移動信号を４つの移動信号出力部のいずれかに出力することを特徴としたマルチスクリーン表示装置。
【請求項７】
複数の映像表示装置がマトリクス状に配列されるマルチスクリーン表示装置であって、
該映像表示装置が、
リモコン操作の対象となる映像表示装置が移動したことを示すリモコン操作対象移動信号が上下左右に隣接する映像表示装置から入力される４つの移動信号入力部と、
前記リモコン操作対象移動信号を上下左右に隣接する映像表示装置へ出力する４つの移動信号出力部を備え、
前記マルチスクリーン表示装置内の各映像表示装置の前記移動信号入力部と前記移動信号出力部が隣接する映像表示装置の移動信号入力部と移動信号出力部に相互に接続され、リモコン操作対象移動信号が入出力されることによりリモコン操作の行われる映像表示装置の移動したことが検出されることを特徴とするマルチスクリーン表示装置。
【発明の詳細な説明】
【技術分野】
【０００１】
本発明は、複数の映像表示装置をマトリックス状（２次元状）に配列し１画面を構成するマルチスクリーン表示装置を提供する技術に関する。
【背景技術】
【０００２】
複数の映像表示装置をマトリックス状に配列して１つの画面を構成するマルチスクリーン表示装置では、各映像表示装置の画面調整を個別に行い、マルチスクリーン表示装置全体の画面が均一な画質となるように調整する必要がある。
【０００３】
この画面調整は専門技術者（調整者）が画面を見ながら行うものであり、マルチスクリーン表示装置内の各映像表示装置に対して個別にリモートコントロール（以下、「リモコン」と省略）操作を可能とすることが要求されている。
【０００４】
マルチスクリーン表示装置を構成する各映像表示装置のリモコン操作を個別に可能とするリモコン制御システムの一つとして、例えば、マルチスクリーン表示装置を構成する各映像表示装置に、各映像表示装置をそれぞれ識別するためのＩＤ番号を付与するものがある（例えば、特許文献１参照）。特許文献１においては、調整者は、各映像表示装置の画面上に表示されたＩＤ番号を視認し、リモコン操作したい映像表示装置のＩＤ番号をリモートコントローラ（以下、「リモコン端末」という）で指定する。これにより、所望の映像表示装置のみのリモコン操作が可能となる。
【０００５】
【特許文献１】特開２００６−２５４２７５
【発明の開示】
【発明が解決しようとする課題】
【０００６】
しかしながら、特許文献１に記載されているような各映像表示装置を識別するためのＩＤ番号を用いる、マルチスクリーン表示装置におけるリモコン制御システムでは、調整者が特定の映像表示装置に対してリモコン操作をしたい場合、調整者はリモコン端末からリモコン操作したい映像表示装置のＩＤ番号をその都度指定する必要があり、操作性が必ずしも良いものとは言えないものである。
【０００７】
また、リモコン操作をスムーズに行うためには、調整者はマルチスクリーン表示装置を構成する全ての映像表示装置のＩＤ番号をあらかじめ知る必要があり、面数の多いマルチスクリーン表示装置や複雑な構成のマルチスクリーン表示装置では、調整者が映像表示装置のＩＤ番号を全て記憶することが困難である等の問題もあると言える。
【０００８】
特許文献１の例では、画面調整を行う過程で各映像表示装置の画面上にそれぞれのＩＤ番号が表示されるので、各映像表示装置のＩＤ番号を記憶しておく必要はない。しかしながら、画面調整を行う映像表示装置が特定されると画面調整対象外の映像表示装置は初期画面に戻る。そのため、継続して他の映像表示装置の画面調整を行う場合、再び各映像表示装置の画面上にＩＤ番号を表示させる過程が必要となり、煩雑であるという課題も抱えていると言える。
【０００９】
本発明は、上記の実情に鑑みて成されたものであり、その目的は、マルチスクリーン表示装置におけるリモコン操作する映像表示装置の選択において、リモコン操作を可能にする映像表示装置を選択する際に、リモコン端末からＩＤ番号を送信することをなく、若しくは、使用者によるリモコン端末へのＩＤ番号入力の操作の使い勝手を改善することを狙い、簡単な操作でマルチスクリーン表示装置内の映像表示装置の選択を可能にしたリモコン制御システムを提供することにある。
【課題を解決するための手段】
【００１０】
上記課題を解決するために、本発明のマルチスクリーン表示装置では、マルチスクリーン表示装置を構成する各映像表示装置に、取得したらリモコン操作が可能な映像表示装置として選択されたことを示すリモコン操作対象移動信号を四方の隣接する映像表示装置のいずれか一つに送出するように指示する移動指示コマンドを受信したら、リモコン操作対象移動信号を生成して指示された方向に送出し、リモコン操作対象移動信号の送出以降のリモコン信号の取得を禁止すると共に、外部から前記リモコン操作対象移動信号が入力されるとそれ以降入力されるリモコン信号を取得し、該リモコン信号に応じた所定の処理を実行するように制御するリモコン制御部を備え、現在リモコン操作対象である映像表示装置から四方の隣接する映像表示装置のいずれか一つに送出されたリモコン操作対象移動信号を取得した映像表示装置を新たなリモコン操作対象の映像表示装置とする。
【００１１】
前記リモコン制御部は、隣接する四方の映像表示装置から送出されるリモコン操作対象移動信号が入力される移動信号入力部と、該移動信号入力部から前記リモコン操作対象移動信号が入力されたときにリモコン信号の受信を許可するリモコン許可信号を出力する移動信号検出部と、該移動信号検出部からのリモコン許可信号により自身の映像表示装置に入力されたリモコン信号の入力を制御するスイッチ部と、該スイッチ部から出力されるリモコン信号が前記移動指示コマンドであるときに、前記リモコン操作対象移動信号を生成し、前記移動指示コマンドで指示された移動方向に応じて前記生成したリモコン操作対象移動信号を四方に隣接する映像表示装置のいずれかへ出力する移動信号生成部と、前記生成したリモコン操作対象移動信号を出力する移動信号出力部とを含んでなる構成とする。
【００１２】
上記構成から明らかなように、本発明のマルチスクリーン表示装置を構成するそれぞれの映像表示装置は、隣接する映像表示装置からリモコン操作対象移動信号を取得すると、自身がリモコン操作対象として選択されたと検出、若しくは認識するので、以降のリモコン信号を自分へのリモコン信号であるとして取得し、所定の処理を実行する。
【００１３】
また、リモコン操作対象である状態で、移動指示コマンドを取得すると、リモコン操作対象移動信号を生成し、移動指示コマンドで指示された移動方向に応じて四方の隣接する映像表示装置のいずれか一つに生成したリモコン操作対象移動信号を送出すると共に、リモコン操作対象移動信号の送出のタイミングに合わせて、これ以降のリモコン信号の取得を禁止する。
【００１４】
従って、リモコン操作対象移動信号を取得した映像表示装置のみがリモコン信号を取得することが可能となる。すなわち、従来技術のように、ＩＤ番号を用いてリモコン操作対象の映像表示装置を指定するのではなく、隣接する映像表示装置間でリモコン操作対象移動信号の授受を行うことによりリモコン操作対象の映像表示装置を指定するので、画面調整などにおいて調整対象の映像表示装置の選択を簡単とすることができる。
【発明の効果】
【００１５】
本発明によれば、リモコン操作によるマルチスクリーン表示装置内の映像表示装置の選択において、リモコン操作側で映像表示装置に割り当てられた映像表示装置のＩＤ番号の入力を意識して入力することなく、左右上下などの感覚的な操作によりマルチスクリーン内の映像表示装置を選択できる。その結果、マルチスクリーン表示装置の調整の作業性を従来よりも向上させることができる。
【発明を実施するための最良の形態】
【００１６】
以下、本発明の最良の形態について、図を参照して説明する。なお、各図において、共通な機能を有する要素には同一な符号を付して示し、一度説明したものについては、その重複する説明を省略するものとする。
【００１７】
本発明は、マルチスクリーン表示装置を構成する複数の映像表示装置の内、リモコン操作が可能とされるリモコン操作対象の映像表示装置（以下、「リモコン操作対象映像表示装置」ともいう）を特定するために、各映像表示装置を識別するＩＤ番号に代えて、取得したらリモコン操作が可能とされるリモコン操作対象として選択されたことを示すリモコン操作対象移動信号を用い、隣接する映像表示装置間でリモコン操作対象移動信号の授受を次々に行うことにより、マルチスクリーン表示装置の上でリモコン操作対象移動信号を一つの映像表示装置単位で縦横に移動させて、所望の映像表示装置をリモコン操作対象映像表示装置として選択することに特徴がある。
【００１８】
すなわち、取得したらリモコン操作が可能な映像表示装置として選択されたことを示すリモコン操作対象移動信号を四方の隣接する映像表示装置のいずれか一つに送出するように指示する移動指示コマンドを受信したら、リモコン操作対象移動信号を生成して指示された方向に送出し、リモコン操作対象移動信号の送出以降のリモコン信号の取得を禁止すると共に、外部から前記リモコン操作対象移動信号が入力されるとそれ以降入力されるリモコン信号を取得し、該リモコン信号に応じた所定の処理を実行するように制御するリモコン制御部を備え、現在リモコン操作対象である映像表示装置から四方の隣接する映像表示装置のいずれか一つに送出されたリモコン操作対象移動信号を取得した映像表示装置を新たなリモコン操作対象の映像表示装置とする。
【００１９】
上記記述から明らかなように、詳細は実施例の中で後述するが、隣接する映像表示装置からリモコン操作対象移動信号を受信した映像表示装置は、リモコン操作対象とされ、当該映像表示装置のみリモコン操作が可能とされる。つまり、リモコン操作対象移動信号は、映像表示装置のリモコン信号を受信する権利を移動させる信号であり、当該リモコン操作対象移動信号を受信した映像表示装置は自身へのリモコン信号であるとして該リモコン信号を受信することができる。
【実施例１】
【００２０】
先ず、本発明の実施例に係わるマルチスクリーン表示装置を構成する一つの映像表示装置の要部構成について説明し、その後、マルチスクリーン表示装置の動作について説明する。
【００２１】
図１は、本発明の第１の実施例を示すマルチスクリーン表示装置を構成する映像表示装置の要部ブロック図である。
【００２２】
図１から明らかなように、マルチスクリーン表示装置を構成する各映像表示装置１は、それぞれ、リモコン制御部２と、映像信号処理部３と、表示部４とからなる。映像信号処理部３は、映像信号入力部(以下、映像信号入力端子と称す)１０から入力される映像信号１１０に対して拡大縮小やフレームレート変換などの画像処理をして表示部４に表示用映像信号１１１を出力する。表示部４は、映像信号処理部３から出力される表示用映像信号１１１を画面上に表示する。表示部４は、ここでは、投射型ディスプレイに較べて厚さが薄い、直視型液晶パネルやプラズマディスプレイパネル等の平面型ディスプレイで構成されているものとする。勿論、これに限定されるものではなく、投射型ディスプレイを用いてもよいことはいうまでもない。マルチスクリーン表示装置を構成する各映像表示装置１の表示部４が平面型ディスプレイで構成されている場合、各映像表示装置に例えば赤外線方式のリモコン信号を受信する受光部を設けるスペースがない。そこで、以下の実施例（実施例１以外の他の実施例を含む）では、図示しないリモコン端末から送信されたリモコン信号（例えば赤外線方式のリモコン信号）をリモコン受信部８０で受信し、得られたリモコン信号１０１を各映像表示装置にそれぞれ分配するものとする。分配方法には、ディジーチェーンによる方法もあるが、ここでは、並列に各映像表示装置に分配するものとする。また、例えば、リモコン端末から送信された無線電波のリモコン信号を各映像表示装置で直接受信するようにしてもよい。この場合には、各映像表示装置に無線電波のリモコン信号を受信する受信部をそれぞれ備えることとなる。
【００２３】
次に、リモコン制御部２について述べるが、その前に、リモコン制御部２に備わる入出力端子について説明しておく。
【００２４】
リモコン制御部２は、リモコン信号入力端子３０と、移動信号入力部(以下、移動信号入力端子と称す)２０Ｕ，２０Ｄ，２０Ｌ，２０Ｒと、移動信号出力端子(以下、移動信号出力端子と称す)４０Ｕ，４０Ｄ，４０Ｌ，４０Ｒとを備える。
【００２５】
リモコン信号入力端子３０は、リモコン受信部８０から各映像表示装置に分配されたリモコン信号１０１が入力される端子である。また、移動信号入力端子２０Ｕは、映像表示装置１の上側に隣接する映像表示装置からのリモコン操作対象を移動させるリモコン操作対象移動信号１００Ｕを受信する端子である。
【００２６】
また、移動信号入力端子２０Ｄは、映像表示装置１の下側に隣接する映像表示装置からのリモコン操作対象移動信号１００Ｄを受信する端子である。また、移動信号入力端子２０Ｌは、映像表示装置１の左側に隣接する映像表示装置からのリモコン操作対象移動信号１００Ｌを受信する端子である。また、移動信号入力端子２０Ｒは、映像表示装置１の右側に隣接する映像表示装置からのリモコン操作対象移動信号１００Ｒを受信する端子である。また、移動信号出力端子４０Ｕは、映像表示装置１の上側に隣接する映像表示装置へ内部で生成したリモコン操作対象移動信号１００Ｕ’を出力する端子である。また、移動信号出力端子４０Ｄは、映像表示装置１の下側に隣接する映像表示装置へ内部で生成したリモコン操作対象移動信号１００Ｄ’を出力する端子である。また、移動信号出力端子４０Ｌは、映像表示装置１の左側に隣接する映像表示装置へ内部で生成したリモコン操作対象移動信号１００Ｌ’を出力する端子である。また、移動信号出力端子４０Ｒは、映像表示装置１の右側に隣接する映像表示装置へ内部で生成したリモコン操作対象移動信号１００Ｒ’を出力する端子である。なお、リモコン操作対象移動信号１００Ｕ’，１００Ｄ’，１００Ｌ’，１００Ｒ’は同一信号である。しかし、リモコン操作対象移動信号が出力される移動信号出力端子が異なるので、移動信号出力端子との整合性を持たせるために、符号１００の後に移動信号出力端子符号に添えられているＵ’，Ｄ’，Ｌ’，Ｒ’を付して示している。また、以下では、表記を簡単とするために、リモコン操作対象移動信号を単に「移動信号」と省略し、移動信号を入力する各移動信号入力端子２０Ｕ，２０Ｄ，２０Ｌ，２０Ｒを総称して移動信号入力端子２０と称し、移動信号入力端子２０を介して受信する各移動信号１００Ｕ，１００Ｄ，１００Ｌ，１００Ｒを総称して移動信号１００と称し、生成した各移動信号１００Ｕ’，１００Ｄ’，１００Ｌ’，１００Ｒ’を総称して移動信号１００’と称し、生成した移動信号１００’を送出する各移動信号出力端子４０Ｕ，４０Ｄ，４０Ｌ，４０Ｒを総称して移動信号出力端子４０と称するものとする。各要素を区別する必要がある場合には、符号の後に、方向を示すＵｐのＵ，ＤｏｗｎのＤ，ＬｅｆｔのＬ，ＲｉｇｈｔのＲを添えて示す。また、方向を示すＵ，Ｄ，Ｌ，Ｒは、マルチスクリーン表示装置を構成する映像表示装置をその画面に正対して見たときの方向である。
【００２７】
次に、リモコン制御部２の機能とその構成について説明する。
【００２８】
先ず、機能から説明する。リモコン制御部２は、隣接する映像表示装置１から移動信号入力端子２０（２０Ｕ，２０Ｄ，２０Ｌ，２０Ｒ）を介して、マルチスクリーン表示装置の上でリモコン操作対象を縦横に移動させるための信号である移動信号１００（１００Ｕ，１００Ｄ，１００Ｌ，１００Ｒ）を、受信すると、リモコン操作対象の映像表示装置であるとして、リモコン信号入力端子３０を介して入力されるリモコン信号１０１に含まれるコマンドに応じた所定の処理を実行し、必要に応じて、映像信号処理部３を制御する。また、リモコン操作対象を移動させる移動指示コマンド（以下、「移動コマンド」という）を受信した場合には、生成した移動信号１００’（１００Ｕ’，１００Ｄ’，１００Ｌ’，１００Ｒ’）を移動信号出力端子４０（４０Ｕ，４０Ｄ，４０Ｌ，４０Ｒ）を介して移動コマンドが指定する移動方向の隣接する映像表示装置に送出する。
【００２９】
上記機能を有するリモコン制御部２は、移動信号検出部２１と、スイッチ部２２と、移動信号生成部２３と、マイコン部２４とを備える。
【００３０】
移動信号検出部２１は、移動信号入力端子２０（２０Ｕ、２０Ｄ、２０Ｌ、２０Ｒ）のいずれか一つから入力される移動信号１００（１００Ｕ、１００Ｄ、１００Ｌ、１００Ｒ）の有無を検出し、移動信号を検出した時にはスイッチ２２をオンする（閉じる）リモコン許可信号１０３を出力する。
【００３１】
スイッチ部２２は、移動信号検出部２１からのリモコン許可信号１０３によりオンして（閉じて）、リモコン信号入力端子３０を介して入力されるリモコン信号１０１を移動信号生成部２３およびマイコン部２４へ伝達する。なお、移動信号生成部２３およびマイコン部２４へ伝達されるリモコン信号の符号を１０２とする。
【００３２】
移動信号生成部２３は、自身の映像表示装置がリモコン操作対象（つまり、自身へのリモコン信号であるとして該リモコン信号を受信することができる映像表示装置）であるとき、スイッチ部２２を介して入力されるリモコン信号１０２のコマンドを解読し、該コマンドがリモコン操作対象を隣接する映像表示装置へ移動させることを指示する移動コマンドである場合に、当該コマンドで指示された移動方向に応じて移動信号出力端子４０（４０Ｕ、４０Ｄ、４０Ｌ、４０Ｒ）のいずれかに移動信号１００’（１００Ｕ’、１００Ｄ’、１００Ｌ’、１００Ｒ’）を出力する。そして、移動信号１００Ｕ’、１００Ｄ’、１００Ｌ’、１００Ｒ’の出力タイミングに合わせて、スイッチ部２２をオフする（開く）ように命令するスイッチ解除信号１０４を移動信号検出部２１に送信する。
【００３３】
移動信号検出部２１は、移動信号生成部２３からのスイッチ解除信号１０４を受けてスイッチ部２２をオフとする。これに伴い、リモコン信号入力端子３０を介して入力されるリモコン信号が移動信号生成部２３およびマイコン部２４へ伝達されないので、リモコン操作ができなくなる。すなわち、リモコン操作対象であった映像表示装置がリモコン操作対象でなくなることになる。
【００３４】
マイコン部２４は、スイッチ部２２を介して入力されるリモコン信号１０２のコマンドを解読して、該コマンドに応じて映像表示装置の各種制御を行う演算制御手段であり、図示しないマイクロコンピュータ（Microcomputer：通常、「マイコン」と称される），プログラムを格納するフラッシュメモリなどを含んでなる。また、マイコン部２４は、マルチスクリーン表示装置の電源立ち上げ時やシステムリセット時等の初期化時に初期化信号１０５を移動信号検出部２１に出力する。移動信号検出部２１は、初期化信号１０５の入力によりリモコン許可信号１０３の初期状態を出力する。ここでリモコン許可信号１０３の初期状態は、スイッチ部２２のオン／オフの初期状態を決めるもので、あらかじめ移動信号検出部２１に設定されるものとする。
【００３５】
図２は、本実施例によるマルチスクリーン表示装置の要部構成図を示す。
【００３６】
図２から明らかなように、本実施例によるマルチスクリーン表示装置９０は、図１で述べた９台の映像表示装置をマトリクス状（３行３列）に配列した９画面構成で一つの画面を構成する表示装置である。ここで、説明の都合上、各映像表示装置１を区別するために、図２に示されるように、調整者側からマルチスクリーン表示画面を見て、左端列の上から下側に向けて符号１−１，１−２，１−３を付与し、中央列の上から下側に向けて符号１−４，１−５，１−６を付与し、右端列の上から下側に向けて符号１−７，１−８，１−９を付与するものとする。各映像表示装置１−１〜１−９は、図示の如く、移動信号１００（１００Ｕ，１００Ｄ，１００Ｌ，１００Ｒ）が入力される移動信号入力端子２０（２０Ｕ，２０Ｄ，２０Ｌ，２０Ｒ）と、移動信号１００’（１００Ｕ’、１００Ｄ’、１００Ｌ’、１００Ｒ’）が出力される移動信号出力端子４０（４０Ｕ，４０Ｄ，４０Ｌ，４０Ｒ）とが、移動信号の移動方向が調整者の意図と一致するように接続される。
【００３７】
例えば、マルチスクリーン表示装置９０の映像表示装置１−５を用いて具体的に述べると、映像表示装置１−５の移動信号入力端子２０Ｕは映像表示装置１−５の上側に隣接する映像表示装置１−４の移動信号出力端子４０Ｄと接続される。また、映像表示装置１−５の移動信号入力端子２０Ｄは下側に隣接する映像表示装置１−６の移動信号出力端子４０Ｕと接続される。また、映像表示装置１−５の移動信号入力端子２０Ｌは左側に隣接する映像表示装置１−２の移動信号出力端子４０Ｒと接続される。また、映像表示装置１−５の移動信号入力端子２０Ｒは右側に隣接する映像表示装置１−８の移動信号出力端子４０Ｌと接続される。なお、ここでいう左右上下の方向は調整者側からマルチスクリーン表示画面を見たときの方向である。また図１で述べたが、マルチスクリーン表示装置９０に設置されたリモコン受信部８０で受信されるリモコン信号１０１は、全ての映像表示装置１−１〜１−９に並列に分配されて、同一のリモコン信号１０１が各リモコン信号入力端子３０から入力される。
【００３８】
次に、本実施例によるマルチスクリーン用リモコン制御システムの動作について説明する。
【００３９】
まず、本実施例の初期化動作について説明する。ここでは、マルチスクリーン表示装置９０の電源立ち上げ時やシステムリセット時等の初期化時に、例えば映像表示装置１−５がリモコン操作対象として設定されるものとして説明する。すなわち、初期化時、映像表示装置１−５の移動信号検出部２１は、マイコン部２４から初期化信号１０５が入力されると、リモコン許可信号１０３を許可の状態、つまりスイッチ部２２をオンする（閉じる）ように初期設定するものとする。そして、その他の映像表示装置の移動信号検出部２１は、リモコン許可信号１０３を禁止の状態、つまりスイッチ部２２をオフにするように初期設定されているものとする。
【００４０】
電源投入後もしくはシステムリセット時において、マルチスクリーン表示装置９０の各映像表示装置１−１〜１−９のマイコン部２４は初期化信号１０５を移動信号検出部２１に送信する。このとき、映像表示装置１−５の伝達信号検出部２１は、マイコン部２４からの初期化信号１０５を受信すると、スイッチ部２２がオンするようにリモコン許可信号１０３の出力を設定するため、映像表示装置１−５に入力されるリモコン信号１０１は移動信号生成部２３とマイコン部２４に入力される。
【００４１】
換言すれば、映像表示装置１−５はリモコン操作対象として初期設定されることになる。一方、映像表示装置１−５以外の映像表示装置の移動信号検出部２１は、初期化信号１０５が入力されると、スイッチ部２２がオフするようにリモコン許可信号１０３の出力を設定するため、リモコン信号１０１が移動信号生成部２３およびマイコン部２４に入力されず、リモコン信号１０１が無視されることとなる。
【００４２】
換言すれば、映像表示装置１−５以外の映像表示装置はリモコン操作対象として初期設定されてないことになる。つまり、初期化時において、マルチスクリーン表示装置９０内でリモコン操作が可能な（リモコン操作対象の）映像表示装置は映像表示装置１−５のみとなる。ここでは、初期化時のリモコン操作が可能な映像表示装置を映像表示装置１−５としているが、映像表示装置１−５以外の任意の映像表示装置を初期化時のリモコン操作が可能な（リモコン操作対象の）映像表示装置として設定してもよい。
【００４３】
次に、マルチスクリーン表示装置９０内のリモコン操作対象（リモコン操作が可能な映像表示装置）を、映像表示装置１−５から別の映像表示装置に移動させる動作について説明する。ここでは、リモコン操作対象（リモコン操作が可能な映像表示装置）を映像表示装置１−５の右側に位置する映像表示装置１−８に移動させるときの動作を例に挙げて説明する。
【００４４】
リモコン操作が可能な（リモコン操作対象の）映像表示装置１−５では、移動信号検出部２１からのリモコン許可信号１０３によりスイッチ部２２がオンしている状態であり、リモコン信号入力端子３０からのリモコン信号１０１は移動信号生成部２３とマイコン部２４に入力されている。
【００４５】
一方、リモコン操作が許可されていない映像表示装置１−５以外の各映像表示装置では、移動信号検出部２１からのリモコン許可信号１０３によりスイッチ部２２がオフされている状態であり、リモコン信号入力端子３０から入力されるリモコン信号１０１は移動信号生成部２３とマイコン部２４には入力されない。すなわち、リモコン操作が可能な（リモコン操作対象の）映像表示装置１−５のみがマイコン部２４および移動信号生成部２３にリモコン信号１０１が入力されている状態にある。
【００４６】
ここで、調整者のリモコン端末（図示せず）から、リモコン操作対象（リモコン操作をしたい映像表示装置）を映像表示装置１−５の右側に位置する映像表示装置１−８に移動させるために、リモコン操作対象を右側の映像表示装置に移動させる右移動コマンドをのせた赤外線リモコン信号をリモコン受信部８０に送信するものとする。これに伴い、リモコン受信部８０から右移動コマンドを乗せたリモコン信号１０１が各映像表示装置１−１〜１−９のリモコン信号入力端子３０に入力される。
【００４７】
しかし、前述のとおり、映像表示装置１―５以外の映像表示装置では、スイッチ部２２がオフであるため移動信号生成部２３およびマイコン部２４にリモコン信号１０１が入力されず、リモコン信号１０１が無視される。一方、映像表示装置１−５では、スイッチ部２２がオンしているためリモコン信号１０１が移動信号生成部２３およびマイコン部２４に入力されており、移動信号生成部２３には右移動コマンドが入力される。移動信号生成部２３はリモコン信号１０１上の右移動コマンドを受信すると、リモコン操作対象を移動させる移動信号１００Ｒ’を生成し、右側に隣接する映像表示装置に移動信号を供給するための移動信号出力端子４０Ｒに出力する。
【００４８】
そして、移動信号１００Ｒ’の出力に合わせてスイッチ解除信号１０４を移動信号検出部２１に送信する。スイッチ解除信号１０４を受信した移動信号検出部２１は、リモコン許可信号１０３の出力をリモコン受信許可の状態から禁止の状態にしてスイッチ部２２をオフさせ、リモコン信号１０１の入力を遮断する。すなわち、映像表示装置１−５は、移動信号１００Ｒ’を映像表示装置１−８に出力すると共に、映像表示装置１−５自身のリモコン操作をできないようにする。
【００４９】
次に、映像表示装置１−５の右側に位置する映像表示装置１−８の処理について説明する。
【００５０】
映像表示装置１−８では、左側に隣接する映像表示装置１−５の移動信号出力端子４０Ｒから出力された移動信号１００Ｒ’を移動信号入力端子２０Ｌで受信する。映像表示装置１−８の移動信号検出部２１は移動信号入力端子２０Ｌからの移動信号１００Ｒ’の入力を検出すると、リモコン許可信号１０３によりスイッチ部２２をオンさせる。
【００５１】
その結果、映像表示装置１−８の移動信号生成部２３とマイコン部２４にリモコン信号１０１が入力されるようになり、映像表示装置１−８はリモコン操作が不可の状態からリモコン操作が可能な状態となる。すなわち、映像表示装置１−５から送出された移動信号を映像表示装置１−８で受け取ることにより、リモコン操作対象が映像表示装置１−５から映像表示装置１−８に移動したことになる。
【００５２】
以上のようにして、リモコン操作対象が映像表示装置１−５から映像表示装置１−８に移動する。なお、同様にして、リモコン操作対象を上に移動させる時は上移動コマンド、下に移動させる時は下移動コマンド、左に移動させる時は左移動コマンドをマルチスクリーン表示装置９０のリモコン受信部８０に送信すればよい。動作ついては例に挙げた右移動コマンドの動作と同様である。このように、現在のリモコン操作対象映像表示装置からリモコン操作対象を所望方向に移動させる移動コマンドである上，下，左，右の移動コマンドを送信することで、リモコン操作をしたい映像表示装置（リモコン操作対象映像表示装置）を選択することができる。
【００５３】
例えば、現在のリモコン操作対象映像表示装置が映像表示装置１−５であるとして、リモコン操作対象を映像表示装置１−１としたい場合、例えば、先ず、上移動コマンドのリモコン信号を送信して映像表示装置１−４を選択し、次に、左移動コマンドのリモコン信号を送信して目標の映像表示装置１−１をリモコン操作対象とすればよい。勿論、映像表示装置１−２を選択し、その後に映像表示装置１−１を選択するようにしてもよい。
【００５４】
また、本実施例において、マイコン部２４はリモコン信号１０１を受信しているときにリモコン信号１０１を受信していること（つまり、リモコン操作対象映像表示装置であること）を視覚的に調整者に示すために、マイコン部２４から映像信号処理部３にリモコン操作が可能であることを示すマーカなどを画面に挿入するように命令して、リモコン操作が可能（リモコン操作対象映像表示装置）であることを画面表示できるようにしてもよい。
【００５５】
以上述べたように、本実施例では、リモコン操作対象映像表示装置を特定するために、各映像表示装置を識別するＩＤ番号に代えて、取得したらリモコン操作対象として選択されたことを示すリモコン操作対象移動信号を用い、隣接する映像表示装置間でリモコン操作対象移動信号の授受を次々に行うことにより、マルチスクリーン表示装置の上でリモコン操作対象移動信号を一つの映像表示装置単位で縦横に移動させて、所望の映像表示装置をリモコン操作対象映像表示装置として選択する。
【００５６】
従って、本実施例によれば、マルチスクリーン表示装置内のリモコン操作対象映像表示装置の選択において、リモコン操作側で映像表示装置に割り当てられた映像表示装置のＩＤ番号を意識することなく、左右上下などの感覚的な操作によりマルチスクリーン内のリモコン操作対象映像表示装置を選択できる。その結果、専門技術者（調整者）によるマルチスクリーン表示装置の調整の作業性を向上させることができる。
【００５７】
また、複雑であったマルチスクリーン表示装置のリモコン操作が容易となるため、一般ユーザでのリモコン操作も可能になり、リモコン端末が新たな操作端末として使用できることが期待できる効果も生じる。
【００５８】
また、本実施例のマルチスクリー表示装置以外への適用も考えられる。例えば、展示場や公共施設などの同じ映像表示装置が複数台存在するような場所においても、ＩＤ番号を送信する従来のリモコン制御システムの代わりに、移動信号を用いたリモコン制御システムを構築すれば、マルチスクリーン表示装置と同様に感覚的なリモコン操作で操作したい映像表示装置を選択でき、有効と考える。
【実施例２】
【００５９】
次に、第２の実施例について図３を用いて説明する。図３は、第２の実施例を示すマルチスクリーン表示装置を構成する映像表示装置の要部ブロック図である。本実施例は、実施例１の映像表示装置１において、リモコン信号入力端子３０からのリモコン信号１０１を直接マイコン部２４にも接続するようにしたものである。
【００６０】
また、マルチスクリーン表示装置における移動信号およびリモコン信号の接続は、図２に同じであり、移動信号を各映像表示装置に対し相互に接続した構成であるとする。なお、図３において、実施例１と異なる要素には符号Ａを付して示す。
【００６１】
本実施例の動作について説明する。
【００６２】
図３において、マルチスクリーン表示装置を構成する複数の映像表示装置１Ａは、それぞれ、リモコン制御部２Ａと、映像信号処理部３と、表示部４とからなる。また、リモコン制御部２Ａは、移動信号検出部２１と、スイッチ部２２と、移動信号生成部２３と、マイコン部２４Ａとを備える。本実施例の各映像表示装置１Ａにおける映像信号処理部３、表示部４、リモコン制御部２Ａの移動信号検出部２１、スイッチ部２２および移動信号生成部２３の動作は実施例１と同様である。
【００６３】
実施例１との違いは、マイコン部２４Ａのリモコン信号の処理にある。実施例１では、各映像表示装置はリモコン信号入力端子３０からのリモコン信号１０１がスイッチ部２２を介してマイコン部２４Ａに入力されているので、リモコン操作が可能なリモコン操作対象の映像表示装置はスイッチ部２２がオンしている映像表示装置のみとなっている。このため、マルチスクリーン表示装置全体を一斉にリモコン操作することはできない。
【００６４】
これに対し、本実施例では、図３から明らかなように、映像表示装置１Ａに入力されるリモコン信号１０１を直接マイコン部２４Ａに供給している。従って、マルチスクリーン表示装置を構成する全ての映像表示装置１Ａのマイコン部２４Ａにリモコン信号１０１を入力することができ、マルチスクリーン表示装置全体を一斉に操作することを可能にしている。例えば、直接マイコン部２４Ａに入力されるリモコン信号１０１のコマンドがマルチスクリーン表示装置全体を操作するコマンドであるとき、各映像表示装置のマイコン部２４Ａがリモコン信号１０１のコマンドを処理できるようにすればマルチスクリーン表示装置全体を一斉にリモコン操作できる。
【００６５】
また、実施例１のように、マルチスクリーン表示装置内の各映像表示装置を個別にリモコン操作するときは、各映像表示装置のマイコン部２４Ａは直接入力されるリモコン信号１０１を無視して、スイッチ部２２の出力であるリモコン信号１０２のコマンドを処理するようにすればよい。このようにマイコン部２４Ａがリモコン信号１０１とリモコン信号１０２を切り替えてリモコン信号のコマンドを処理させるようにすれば、マルチスクリーン表示装置全体を一斉にリモコン操作する全体リモコン操作と、マルチスクリーン表示装置内の個別の映像表示装置のみにリモコン操作をする個別リモコン操作と、を切り替えてリモコン操作ができる。
【実施例３】
【００６６】
次に、第３の実施例について図４を用いて説明する。図４は、第３の実施例を示すマルチスクリーン表示装置における移動信号の接続図である。
【００６７】
図４から明らかなように、本実施例のマルチスクリーン表示装置９０Ｂは、実施例１のマルチスクリーン表示装置９０における移動信号の映像表示装置間の接続形態において、マルチスクリーン表示装置９０の画面端に位置する映像表示装置１−１，１−２，１−３，１−４，１−６，１−７，１−８，１−９の移動信号入力端子２０（２０Ｕ，２０Ｄ，２０Ｌ，２０Ｒ）と移動信号出力端子４０（４０Ｕ，４０Ｄ，４０Ｌ，４０Ｒ）の空き端子同士のループ接続を加えたものである。
【００６８】
例えば、図４において、マルチスクリーン表示装置９０Ｂの左上端に位置する映像表示装置１−１では、その左側と上側には映像表示装置が存在していないので、映像表示装置１−１の移動信号入力端子２０Ｌと移動信号出力端子４０Ｌ、移動信号入力端子２０Ｕと移動信号出力端子４０Ｕを接続する。同様に映像表示装置１−２では、左側に映像表示装置が存在していないので移動信号入力端子２０Ｌと移動信号出力端子４０Ｌを接続する。その他のマルチスクリーン表示装置９０の画面端に位置する映像表示装置についても同様に接続する。
【００６９】
次に本実施例の動作について説明する。
【００７０】
本実施例の特徴は、マルチスクリーン表示装置のリモコン操作対象映像表示装置がマルチスクリーン表示の画面端に位置する映像表示装置であるときにおけるリモコン操作対象の移動動作にある。ここでは、マルチスクリーン表示装置９０Ｂの左上端に位置する映像表示装置１−１がリモコン操作の可能なリモコン操作対象の映像表示装置である場合を例に説明する。
【００７１】
実施例１の移動信号の接続（図２参照）では、映像表示装置１−１にリモコン信号１０１のリモコン操作対象の右移動もしくは下移動コマンドが入力されたとき、右側もしくは下側に接続される映像表示装置にリモコン操作対象が移動する。ところが、リモコン信号１０１のリモコン操作対象の左移動もしくは上移動コマンドが入力されると、映像表示装置１−１の左側や上側には映像表示装置が存在しないため、マルチスクリーン表示装置上からリモコン操作が可能なリモコン操作対象の映像表示装置がなくなる。
【００７２】
これは、左方向および上方向に映像表示装置がないにもかかわらず、映像表示装置１−１は生成した移動信号１００Ｌ’や１００Ｕ’の出力と同時に映像表示装置１−１自身のリモコン操作を禁止してしまうためである。本実施例はこれを回避したものである。
【００７３】
すなわち、映像表示装置１−１の移動信号出力端子４０Ｌと移動信号入力端子２０Ｌ、移動信号出力端子４０Ｕと移動信号入力端子２０Ｕを接続することで、リモコン信号のリモコン操作対象の左移動コマンドもしくは上移動コマンドが入力されても、出力された移動信号１００Ｌ’、１００Ｕ’が再び自分自身の移動信号入力端子２０Ｌもしくは２０Ｕに返るため、映像表示装置１−１がリモコン操作の可能なリモコン操作対象の映像表示装置として再選択される。
【００７４】
このようにして、本実施例はリモコン操作対象映像表示装置がマルチスクリーン表示装置上から無くならないようにしている。マルチスクリーン表示装置９０Ｂの画面端部分にあるその他の映像表示装置についても同様である。
【実施例４】
【００７５】
次に、第４の実施例について図５を用いて説明する。図５は、第４の実施例を示すマルチスクリーン表示装置における移動信号の接続図である。
【００７６】
図５から明らかなように、本実施例のマルチスクリーン表示装置９０Ｃは、実施例１のマルチスクリーン表示装置９０における移動信号の映像表示装置間の接続形態において、マルチスクリーン表示装置９０の画面端に位置する映像表示装置１−１，１−２，１−３，１−４，１−６，１−７，１−８，１−９における移動信号入出力端子２０，４０の空き端子の接続を、マルチスクリーン表示装置９０における右端と左端の映像表示装置の空き端子同士の方向（左右方向）と入出力を対応させて、また、上端と下端の映像表示装置の空き端子同士の方向（上下方向）と入出力を対応させて、相互に接続するようにしたものである。
【００７７】
例えば、図５において、マルチスクリーン表示装置９０Ｃの左上端にある映像表示装置１−１の移動信号入力端子２０Ｕと、マルチスクリーン表示装置９０Ｃの左下端にある映像表示装置１−３の移動信号出力端子４０Ｄとを接続する。
【００７８】
また、マルチスクリーン表示装置９０Ｃの左上端にある映像表示装置１−１の移動信号出力端子４０Ｕと、マルチスクリーン表示装置９０Ｃの左下端にある映像表示装置１−３の移動信号入力端子２０Ｄとを接続する。その他のマルチスクリーン表示装置の左右方向もしくは上下方向の画面両端に位置する映像表示装置間（例えば映像表示装置１−２／１−８間や映像表示装置１−４／１−６間）などの接続も同様である。
【００７９】
このように、マルチスクリーン表示装置の左右方向もしくは上下方向の画面両端に位置する映像表示装置の移動信号入出力端子２０，４０の空き端子を方向と入出力を対応させて接続すると、マルチスクリーン表示装置の上端にある映像表示装置の上側に隣接する映像表示装置がマルチスクリーン表示装置の下端の映像表示装置となり、また、マルチスクリーン表示装置の左端にある映像表示装置の左側に隣接する映像表示装置がマルチスクリーン表示装置の右端の映像表示装置となる。
【００８０】
これにより、マルチスクリーン表示装置の画面端に位置する映像表示装置がリモコン操作対象である場合、リモコン操作対象を映像表示装置の存在しない方向に移動させると、移動方向の反対側の画面端に位置する映像表示装置にリモコン操作対象が移動するようになる。
【００８１】
例えば、マルチスクリーン表示装置９０Ｃにおいて、リモコン操作が可能な映像表示装置が映像表示装置１−１の時、リモコン操作対象を上側に位置する映像表示装置に移動する上移動コマンドを送信すると、リモコン操作対象がマルチスクリーン表示装置９０Ｃの左上端の映像表示装置１−１からマルチスクリーン表示装置９０Ｃの左下端の映像表示装置１−３へ移動する。
【００８２】
以上述べたように、実施例３とは異なる本実施例によっても、リモコン操作対象の映像表示装置がマルチスクリーン表示装置上から無くならないようにすることができる。
【実施例５】
【００８３】
以上の実施例は、映像表示装置のリモコン操作の許可制御をいずれもハードウエアで構成したものである。しかしながら、例えば実施例２で示したリモコン制御部２Ａの機能、つまり、移動信号検出部２１、スイッチ部２２、および移動信号生成部２３の機能を演算制御手段であるマイコン（Microcomputer）によるソフトウエア制御で実現することも可能である。
【００８４】
以下、リモコン制御部２Ａの機能をマイコンで実現する第５の実施例について説明する。なお、マルチスクリーン表示装置における移動信号の接続形態は、説明の都合上、例えば図４に依るものとする。この場合、マルチスクリーン表示装置９０Ｂを構成する映像表示装置の符号は図４の場合の符号（符号は１Ａ）と異なるので、新たな映像表示装置の符号１Ｅ（後述）を用いる。
【００８５】
図６は、リモコン制御部をマイコン部のみで構成した第５の実施例を示す映像表示装置の要部ブロック図である。図７は、個別リモコン操作の初期設定処理を示すフロー図である。図８は、リモコン操作対象移動信号検出処理を示すフロー図である。図９は、リモコン信号受信時の処理を示すフロー図である。
【００８６】
図６に示すように、マルチスクリーン表示装置９０Ｂを構成する映像表示装置１Ｅは、それぞれ、リモコン制御部としてのマイコン部２００と、映像信号処理部３と、表示部４とからなる。
【００８７】
マイコン部２００は、例えば図３のリモコン制御部２Ａの機能をソフトウエアにより実現するもので、図示しないマイコン，プログラムを格納するフラッシュメモリ，ＲＡＭ（Random Access Memory）などを含んでなる。マイコン部２００には、移動信号入力端子２０（２０Ｕ，２０Ｄ，２０Ｌ，２０Ｒ）からの移動信号１００（１００Ｕ，１００Ｄ，１００Ｌ，１００Ｒ）と、リモコン信号入力端子３０からのリモコン信号１０１が直接入力され、また、マイコン部２００から移動信号出力端子４０（４０Ｕ，４０Ｄ，４０Ｌ，４０Ｒ）へ移動信号１００’（１００Ｕ’，１００Ｄ’，１００Ｌ’，１００Ｒ’）が送出されている。
【００８８】
まず、マイコン部２００の処理フローについて、図７の個別リモコン操作初期設定フローから説明する。例えば、マルチスクリーン表示装置９０Ｂの電源投入もしくはシステムリセットが起動された時、マルチスクリーン表示装置９０Ｂの各映像表示装置のマイコン部２００は、あらかじめマイコン部２００の例えば図示しないフラッシュメモリに設定された個別リモコン操作の可否の初期情報により、リモコン操作の可否の初期設定を行う。
【００８９】
図７において、個別リモコン操作の初期設定処理を開始すると、マイコン部２００は、ステップ７０１（以下、ステップを「Ｓ」と省略）で、個別リモコン操作を許可するように初期設定されているか（つまり、リモコン操作対象に初期設定されているか）判定する。
【００９０】
個別リモコン操作が初期設定されていればＳ７０２に進み、個別リモコン操作を可能として処理を終了する。Ｓ７０１の判定がＮ（いいえ）であればＳ７０３に進み、個別リモコン操作を禁止して処理を終了する。
【００９１】
例えば、図４のマルチスクリーン表示装置９０において、映像表示装置１Ｅ−５のマイコン部２００に個別リモコン操作を許可するように初期設定されている（つまり、リモコン操作対象に初期設定されている）とすると、初期時の個別リモコン操作が可能なリモコン操作対象映像表示装置は映像表示装置１Ｅ−５となる。
【００９２】
次に、図８を用いて、リモコン操作対象移動信号の検出処理について説明する。図８において、マイコン部２００は、リモコン操作対象移動信号の検出処理を開始すると、まずＳ８０１で、移動信号入力端子２０（２０Ｕ，２０Ｄ，２０Ｌ，２０Ｒ）のいずれかから移動信号１００が入力されたかチェックする。
【００９３】
マイコン部２００は、移動信号１００を検出した場合、Ｓ８０２に進み、マイコン部２００は個別リモコン操作を禁止から許可とし、処理を終了する。また、マイコン部２００は、移動信号１００を検出できない場合、Ｓ８０３に進み、個別リモコン操作の禁止を継続し、処理を終了する。
【００９４】
次に、図９を用いて、リモコン信号が入力された時の処理について説明する。マイコン部２００は、リモコン信号入力端子３０からリモコン信号１０１が入力されると、リモコン信号受信処理を開始する。
【００９５】
すなわち、図９において、マイコン部２００は、Ｓ９０１で、リモコン信号１０１がマルチスクリーン表示装置９０Ｂ全体を操作する全体リモコン操作コマンドであるかを判別する。マイコン部２００は、Ｓ９０１の判定がＹ（はい）であればＳ９０２に進み、その全体リモコン操作コマンドを実行し、処理を終了する。
【００９６】
一方、Ｓ９０１の判定がＮ（いいえ）であればＳ９０３に進み、自身が属する映像表示装置がリモコン操作対象映像表示装置であって、個別の映像表示装置を操作する個別リモコン操作コマンドの実行が可能であるか判定するする。マイコン部２００は、自身が属する映像表示装置がリモコン操作対象映像表示装置でなく、９０３の判定がＮ（いいえ）であればＳ９０４に進み、当該コマンドを無視して処理を終了する。また、自身が属する映像表示装置がリモコン操作対象映像表示装置で、Ｓ９０３の判定がＹ（はい）であればＳ９０５に進む。
【００９７】
マイコン部２００は、Ｓ９０５では、リモコン信号１０１のコマンドがリモコン操作対象の移動を指示する移動コマンドであるか判別する。そして、移動コマンドでなければＳ９０６に進み、Ｓ９０６でコマンドに応じた所定の処理を実行し、処理を終了する。また、移動コマンドであるときは、マイコン部２００はＳ９０７に進み、移動コマンドにより指示されたリモコン操作対象の移動方向に応じて移動信号出力端子４０Ｕ，４０Ｄ，４０Ｌ，４０Ｒのいずれかに移動信号１００（１００Ｕ’，１００Ｄ’，１００Ｌ’，１００Ｒ’）を出力し、次に、Ｓ９０８で個別リモコン操作を禁止とし、処理を終了する。なお、Ｓ９０８の個別リモコン操作を禁止する動作は移動信号生成部２３の動作と同じである。
【００９８】
以上の実施例（実施例１乃至５）では、いずれも映像表示装置間の移動信号の授受を有線で実現しているが、赤外線や電波（ＲＦ）による無線の送受信を行っても良い。
【００９９】
また、リモコン端末として赤外線方式を用いた場合について述べたが、リモコン端末にＲＦを用い、マルチスクリーン表示装置の各映像表示装置にＲＦの受信部を設けたＲＦ式リモコン制御システムにおいても、同一のリモコン信号がマルチスクリーン表示装置の全映像表示装置に入力される点で上記実施例と同じであり、ＲＦ式リモコン制御システムに対しても移動信号を用いたリモコン制御システムが構築できる。
【図面の簡単な説明】
【０１００】
【図１】実施例１のマルチスクリーン表示装置を構成する映像表示装置の要部ブロック図。
【図２】実施例１のマルチスクリーン表示装置の要部構成図。
【図３】実施例２のマルチスクリーン表示装置を構成する映像表示装置の要部ブロック図。
【図４】実施例３のマルチスクリーン表示装置の移動信号の接続図。
【図５】実施例４のマルチスクリーン表示装置の移動信号の接続図。
【図６】リモコン制御部をマイコン部のみで構成した実施例５の映像表示装置の要部ブロック図。
【図７】個別リモコン操作の初期設定処理を示すフロー図。
【図８】リモコン操作対象移動信号検出処理を示すフロー図。
【図９】リモコン信号受信時の処理を示すフロー図。
【符号の説明】
【０１０１】
１、１Ａ、１Ｅ・・・映像表示装置
１−１〜１−９：映像表示装置
２、２Ａ・・・リモコン制御部
３・・・映像信号処理部
４・・・表示部
１０・・・映像信号入力端子
２０，２０Ｕ，２０Ｄ，２０Ｌ，２０Ｒ・・・移動信号入力端子
２１・・・移動信号検出部
２２・・・スイッチ部
２３・・・移動信号生成部
２４、２４Ａ、２００・・・マイコン部
３０・・・リモコン信号入力端子
４０，４０Ｕ，４０Ｄ，４０Ｌ，４０Ｒ・・・移動信号出力端子
８０・・・リモコン受信部
９０、９０Ｂ、９０Ｃ・・・マルチスクリーン表示装置
１００，１００Ｕ、１００Ｄ，１００Ｌ、１００Ｒ・・・移動信号（入力部）
１００’，１００Ｕ’、１００Ｄ’、１００Ｌ’、１００Ｒ’・・・移動信号（出力部）
１０１・・・リモコン信号
１０２・・・リモコン信号
１０３・・・リモコン許可信号
１０４・・・選択解除信号
１０５・・・初期化信号
１０６・・・映像信号処理部への制御信号
１１０・・・映像信号
１１１・・・表示用映像信号
【図１】
2010079127.tif 000003
【図２】
2010079127.tif 000004
【図３】
2010079127.tif 000005
【図４】
2010079127.tif 000006
【図５】
2010079127.tif 000007
【図６】
2010079127.tif 000008
【図７】
2010079127.tif 000009
【図８】
2010079127.tif 000010
【図９】
2010079127.tif 000011